(57)【特許請求の範囲】
【請求項１】
身体側の第１の板体と、支持側の第２の板体の中央部間に空気圧検出用の変形可能な空気収容体を介装し、前記第２の板体の中央部には前記空気収容体を装着する溝を構成すると共に、前記第２の板体から前記第１の板体方向に、前記第１の板体の周囲四隅を支持することにより、前記第１の板体を水平な正常状態に常時支持するための支持突起を突設したことを特徴とする生体情報収集装置。
【請求項２】
第２の板体は、中央部に空気収容体を装着する開口を設けた周囲板と、開口の下部に設けた中央板とから構成され、前記周囲板の開口と中央板とから空気収容体を装着する溝が構成されていることを特徴とする請求項１に記載の生体情報収集装置。
【発明の詳細な説明】
【技術分野】
【０００１】
本発明は、病院や高齢者施設等において、マットレスや布団と、ベッドの床部や床との間に介装し、マットレス上の人の体動等の生体情報を収集するための生体情報収集装置に関するものである。
【背景技術】
【０００２】
例えば、特許文献１には、空気圧検出用の変形可能な空気収容体により板体を支持し、板体を介して空気収容体に伝達される、板体上の生体の体動等の生体情報を、空気収容体内の空気圧の変動により検出するようにした生体情報収集装置が記載されている。
【０００３】
即ち、この生体情報収集装置は、センサとしての空気収容体により支持された板体上の生体の体動等による生体からの振動に由来する空気収容体の内部の空気圧の変動を、無指向性マイクロフォンや圧力センサ等の生体情報検出手段により検出することにより、生体の呼吸、心拍、セキやイビキ等による体動等の生体情報を計測するというものである。
【０００４】
上記特許文献１の生体情報収集装置において、板体はベッドの床部と等しい大きさであり、空気収容体は板体と床部の中央部に一つが介装される構成が記載されているが、このような構成であると、当然、板体は不安定となるので、複数の空気収容体が板体と床部間に介装されて、板体を安定に支持するようにしている。
【特許文献１】特開２００１−２７６０１９号公報
【発明の開示】
【発明が解決しようとする課題】
【０００５】
上述した特許文献１の生体情報収集装置においては、以下に示すような課題がある。
１．床部上に直接に空気収容体を載置し、その上に生体支持用の板体を載置するので、凹凸があるベッドの床部上に載置して使用することが困難である。
２．生体支持用の板体はベッドの床部と同じ面積を想定しており、床部の適所に部分的に載置して使用することは想定していない。
３．生体支持用の板体を安定に支持するためには複数の空気収容体が必要で、これらの夫々に生体情報検出手段が必要であるため、構成が複雑化し、故障の割合が大きくなると共に、コストも高くなる。
本発明は、以上の課題を解決することを目的とするものである。
【課題を解決するための手段】
【０００６】
本発明では、上述した課題を解決するために、身体側の第１の板体と、支持側の第２の板体の中央部間に空気圧検出用の変形可能な空気収容体を介装し、前記第２の板体の中央部には前記空気収容体を装着する溝を構成すると共に、第２の板体から第１の板体方向に、前記第１の板体の周囲四隅を支持することにより、前記第１の板体を水平な正常状態に常時支持するための支持突起を突設した生体情報収集装置を提案する。
【０００８】
また本発明では、上記の構成において、第２の板体は、中央部に空気収容体を装着する開口を設けた周囲板と、開口の下部に設けた中央板とから構成され、前記周囲板の開口と中央板とから空気収容体を装着する溝が構成されている生体情報収集装置を提案する。
【発明の効果】
【００１１】
以上の構成の本発明では、空気圧検出用の変形可能な空気収容体は、身体側の第１の板体と、支持側の第２の板体の中央部間にのみ介装しているので、マイクロフォンや圧力センサ等の生体情報検出手段が１系統のみで良く、構成が簡素化され、故障の発生が低減される。
【００１２】
一方、身体側の第１の板体は、中央部の空気収容体と共に、周辺部の支持突起により支持されるので、安定に支持されると共に、生体による振動を良好に空気収容体に伝達することができ、従って感度の良い生体情報の収集を行うことができる。
【００１３】
また空気収容体は、第２の板体により支持されるので、この第２の板体を載置するベッドの床部に凹凸が有っても安定に支持することができる。
【発明を実施するための最良の形態】
【００１４】
次に本発明の実施の形態を、添付図面を参照して説明する。
図１〜図３は本発明の生体情報収集装置の第１の実施の形態を示す説明図である。
符号１は身体側の第１の板体、２は支持側の第２の板体であり、これらの中央部間に空気圧検出用の変形可能な空気収容体３を介装すると共に、第２の板体２の周囲側に支持突起４を設けて本発明の生体情報収集装置が構成される。またこの実施の形態では、第２の板体２の中央部には空気収容体３を装着する溝５が形成されている。
【００１５】
このように構成される本発明の生体情報収集装置は、空気収容体３にマイクロフォンや圧力センサ等の内部空気の圧力変動検出手段が設けられて、それらの信号が信号線６を経て検出装置７に入力され、この検出装置７により生体情報が収集される構成とすることができる。
【００１６】
この他、空気収容体３と検出装置７との間を空気管により接続し、マイクロフォンや圧力センサ等の内部空気の圧力変動検出手段を検出装置７側に設けた構成とすることもできる。そしてこのように空気収容体３と検出装置７との間を空気管により接続した構成の場合においては、上述した周囲側の突起４は、空気管のつぶれ防止機能を発揮する。
【００１７】
以上の構成において、本発明の生体情報収集装置は、図３〜図５に示すように、第２の板体２を以てベッド（図示省略）の床部８上に載置し、その上にマットレス９を載置して使用する。
【００１８】
図３〜図５に示されるようにベッドの床部８は通気性や強度の点から凹凸が形成されているものが多いのであるが、本発明の生体情報収集装置では、床部８の隣接している凸部間の距離よりも広い第２の板体２を以て床部８上に載置する構成であるので、生体情報収集装置は安定に床部８の凹凸上に支持される。
【００１９】
以上の使用状態において、マットレス９上に寝ている人１０の呼吸、心拍、セキやイビキ、あるいは寝返り等に起因する振動は、マットレス９から第１の板体１に伝わり、そして第１の板体１を経て空気収容体３に伝わる。
【００２０】
従って空気収容体３に伝わった、体動に由来する振動による内部の空気圧が変動するので、この空気圧の変動を上述した圧力変動検出手段を介して検出装置７において検出することにより、上述した各種の生体情報が収集される。
【００２１】
上述したとおり、本発明では、空気圧検出用の変形可能な空気収容体３は、身体側の第１の板体１と、支持側の第２の板体２の中央部間にのみ介装しているので、マイクロフォンや圧力センサ等の生体情報検出手段が１系統のみで良く、構成が簡素化され、故障の発生が低減される。
【００２２】
一方、身体側の第１の板体１は、中央部の空気収容体３と共に、周辺部の支持突起４により支持されるので、マットレス９上の人が図５に示されるように床部８の端側に寄った場合にも、第１の板体１は水平な正常状態に支持され、従って生体による振動を良好に空気収容体に伝達することができ、従って常時、感度の良い生体情報の収集を行うことができる。
【００２３】
尚、図１０、図１１は、本発明の構成要素である周辺部の支持突起４を設けなかった場合に想定される状態を示すもので、図１０に示されるように、仮に人１０がマットレス９の幅方向に中央に居る場合に、第１の板体１が安定に支持されているとしても、人１０が図１１に示されるように床部８の端側に寄った場合に第１の板体１の当該個所が荷重により下方に変形して第２の板体２等に接触してしまい、マットレス９を経ての人による振動が第１の板体１に到達しても、減衰してしまい、空気収容体３に良好に伝わらなくなってしまう。
【００２４】
上述したとおり、本発明では、周辺部の支持突起４により第１の板体１が水平な正常状態に支持されることにより、人による振動を良好に空気収容体に伝達することができ、従って常時、感度の良い生体情報の収集を行うことができるのである。
【００２５】
本発明の生体情報収集装置は、生体の呼吸、心拍、セキやイビキ等による体動等の生体情報を効率的に検出して収集するために、人１０の心臓や呼吸器官に近い床部９の個所、即ち、図３に示すようにベッドの背部床に設置することができ、このように局所的に設置する構成とすることにより、感度の向上に加え、小型化が達成され、取り扱いが容易になるという効果がある。
【００２６】
次に図６は本発明の第２の実施の形態を示すもので、この実施の形態では、第１の板体１の周囲に支持突起４は、第１の板体１から第２の板体２方向に突設しており、その他の構成は、第１の実施の形態と同様であるから、対応する構成要素に第１の実施の形態と同様な符号を付して、重複する説明は省略する。
【００２７】
次に図７は本発明の第３の実施の形態を示すもので、この実施の形態では、第２の板体２は、中央部に空気収容体３を装着する開口１１を設けた周囲板１２と、開口１１の下部に設けた中央板１３とから構成している他は、第１の実施の形態と構成が同様であるので、第１の実施の形態と同様な符号を付して重複する説明は省略する。
【００２８】
次に図８は本発明の第４の実施の形態を示すもので、この実施の形態では、第１の板体１と、第２の板体２の中央部間に空気収容体３を介装すると共に、第１の板体１と第２の板体２間には、以上の実施の形態における周辺の支持突起４に代えて、発泡プラスチック等のクッション体１４を介装している。その他の構成は以上の実施の形態と同様であるので、第１の実施の形態と同様な符号を付して重複する説明は省略する。
【００２９】
次に図９は本発明の第５の実施の形態を示すもので、この実施の形態では、第４の実施の形態において第１の板体１と同じ広さの第２の板体２を、空気収容体３とその周辺に対応する広さまで小さくしたものであり、この構成とすることにより、生体情報収集装置の軽量化を図ることができる。その他の構成は以上の実施の形態と同様であるので、第１の実施の形態と同様な符号を付して重複する説明は省略する。
【００３０】
以上の実施の形態においては、本発明の生体情報収集装置をマットレスとベッドの床部との間に介装した例を示しているが、本発明の生体情報収集装置は、部屋の床に直接に布団やマットレスを敷く場合であっても、布団又はマットレスと床の間に介装して使用できるものである。
【産業上の利用可能性】
【００３１】
本発明は以上の通りであるので、空気圧検出用の変形可能な空気収容体により板体を支持し、板体を介して空気収容体に伝達される、板体上の生体の体動等の生体情報を、空気収容体内の空気圧の変動により検出するようにした生体情報収集装置において、従来のものと比較して以下に示すような利点があり、産業上の利用可能性が大である。
【００３２】
１．空気圧検出用の変形可能な空気収容体は、身体側の第１の板体と、支持側の第２の板体の中央部間にのみ介装しているので、マイクロフォンや圧力センサ等の生体情報検出手段が１系統のみで良く、構成が簡素化され、故障の発生が低減される。
２．身体側の第１の板体は、中央部の空気収容体と共に、周辺部の支持突起又はクッション体により支持されるので、安定に支持されると共に、生体による振動を良好に空気収容体に伝達することができ、従って感度の良い生体情報の収集を行うことができる。
３．空気収容体は、第２の板体により支持されるので、この第２の板体を載置するベッドの床部に凹凸が有っても安定に支持することができる。
【図面の簡単な説明】
【００３３】
【図１】本発明の生体情報収集装置の第１の実施の形態を示す断面図である。
【図２】第１の実施の形態における平面図である。
【図３】第１の実施の形態における使用状態を示す斜視図である。
【図４】第１の実施の形態における使用状態を示す断面図である。
【図５】第１の実施の形態における使用状態を他の局面で示す断面図である。
【図６】本発明の生体情報収集装置の第２の実施の形態を示す断面図である。
【図７】本発明の生体情報収集装置の第３の実施の形態を示す断面図である。
【図８】本発明の生体情報収集装置の第４の実施の形態を示す断面図である。
【図９】本発明の生体情報収集装置の第５の実施の形態を示す断面図である。
【図１０】本発明の生体情報収集装置の第１の実施の形態から支持突起を除いた場合の使用状態を想定して示す断面図である。
【図１１】本発明の生体情報収集装置の第１の実施の形態から支持突起を除いた場合の使用状態を他の局面において想定して示す断面図である。
【符号の説明】
【００３４】
１      第１の板体
２      第２の板体
３      空気収容体
４      支持突起
５      溝
６      信号線
７      検出装置
８      床部
９      マットレス
１０    人
１１    開口
１２    周囲板
１３    中央板体
１４    クッション体
【図１】
0005234900.tif 000002
【図２】
0005234900.tif 000003
【図３】
0005234900.tif 000004
【図４】
0005234900.tif 000005
【図５】
0005234900.tif 000006
【図６】
0005234900.tif 000007
【図７】
0005234900.tif 000008
【図８】
0005234900.tif 000009
【図９】
0005234900.tif 000010
【図１０】
0005234900.tif 000011
【図１１】
0005234900.tif 000012